(57)【要約】【課題】Ｉ型の断面を有する木質梁の端部を、該梁のウエブからせん断力が他の構造物に対して有効に伝達されるように接合する。【解決手段】  上フランジ１１と、下フランジ１２と、これらを上下に連結するウエブ１３とを有する木質梁のウエブの側面に鋼からなる添設板３を固定し、この添設板を他の構造部材である梁２に接合する。添設板は、鋼板材に板厚方向に貫通する切り込み線を設けて舌片を形成し、該舌片を鋼板材の面から突出するように折り曲げて形成された複数の爪状部３１を有するものである。これらの爪状部は、規則的に配列して設けられたものであり、ウエブを構成する木質材料に爪状部を押し込むことによって添設板がウエブに固定される。【選択図】図２
2015168964.tif 000002
【特許請求の範囲】
【請求項１】
上フランジと、下フランジと、これらを上下に連結するウエブとを有する木質梁の端部を、他の構造部材に接合する木質梁の接合構造であって、
前記ウエブの側面に鋼からなる添設板が固定され、
該添設板が前記他の構造部材に接合されており、
前記添設板は、鋼板材に板厚方向に貫通する切り込み線を設けて舌片を形成し、該舌片を鋼板材の面から突出するように折り曲げて形成された爪状部が、規則的に配列して設けられたものであり、
前記ウエブを構成する木質材料に前記爪状部を押し込むことによって前記添設板が前記ウエブに固定されていることを特徴とする木質梁の接合構造
【請求項２】
前記添設板は、上縁及び下縁に沿って水平方向に張り出し部を備え、該添設板が前記ウエブの側面から離れる方向に変位するのを抑制するように前記張り出し部が前記上フランジ及び下フランジによって拘束されていることを特徴とする請求項１に記載の木質梁の接合構造。
【請求項３】
前記ウエブは、所定幅の板材を前記木質梁の軸線方向に傾斜させ、所定の間隔を開けて複数を配列したものであり、
前記爪状部は、前記鋼板材に形成された舌片の折り曲げ線が前記ウエブを構成する板材の軸線に沿った方向となるように形成されていることを特徴とする請求項１又は請求項２に記載の木質梁の接合構造。
【請求項４】
前記添設板は、前記他の構造部材と接合される側の端縁より該木質梁の中央部側に、鉛直方向の折り曲げ線によって折り曲げられて前記ウエブの側方に張り出すように設けられた鉛直リブを有することを特徴とする請求項１から請求項３までのいずれかに記載の木質梁の接合構造。
【発明の詳細な説明】
【技術分野】
【０００１】
本発明は、木造の建築物等における梁の接合構造に係り、特に上下のフランジとウエブとで構成されたＩ型の断面を有する木質梁の接合構造に関するものである。
【背景技術】
【０００２】
木材からなる梁の端部を他の梁又は柱と接合する構造として、例えば特許文献１に記載されているものがある。この接合構造では、梁が接合される他の梁又は柱に梁受け金物が固定され、この梁受け金物で接合しようとする梁の端部を支持する。上記梁受け金物は、接合しようとする梁に向かって突き出した鉛直板部を備えている。そして、接合しようとする梁に設けられたスリットに上記梁受け金物の鉛直板部が挿入され、梁の側面から該梁及び上記鉛直板部に設けられた貫通孔にピン又はボルトを挿通して梁を他の梁又は柱に接合するものとなっている。
【０００３】
一方、図１６に示すような梁受け金物１０１を使用する接合構造も広く知られている。この梁受け金物１０１は、接合しようとする梁１０２の側面に当接される２つの鉛直板部１０１ａ，１０１ｂと、梁１０２の底面に当接される水平板部１０１ｃとが取り付け部１０１ｄから張り出すように設けられている。そして、この梁受け金物１０１が他の梁１０３又は柱に固定され、これらの梁１０３又は柱に接合しようとする梁１０２は上方から２つの鉛直板部１０１ａ，１０１ｂの間に落とし込まれ、水平板部１０１ｃの上に支持されるものとなっている。
【先行技術文献】
【特許文献】
【０００４】
【特許文献１】特開２０１１−１８４８５１号公報
【発明の概要】
【発明が解決しようとする課題】
【０００５】
特許文献１に記載されている接合構造では、接合する梁がＩ型の断面を有するものであると、厚さが薄いウエブから、このウエブを貫通する少数のピン又はボルトを介して梁受け金物に大きなせん断力が伝達されることになる。したがって、ピン又はボルトと接触する部分で薄いウエブに大きな力（支圧力）が作用し、ウエブに変形が生じる虞がある。
一方、図１６に示すような梁受け金物１０１を用いる接合構造では、接合しようとする梁１０２がＩ型断面であっても矩形断面の梁と同様に支持することができるが、梁受け金物１０１が梁１０２の側面及び底面に沿って露出することになり、外観を損なうことがある。また、梁１０２の支持端付近でウエブに大きな圧縮力が作用することになり、過度の変形や座屈を防止するために、ウエブに沿って桟木等を設ける等の補強が必要となる。
【０００６】
本発明は、上記のような事情に鑑みてなされたものであり、その目的は、Ｉ型の断面を有する木質梁の端部を他の構造部材に接合し、Ｉ型断面のウエブからせん断力を他の構造物に対して伝達することができる木質梁の接合構造を提供することである。
【課題を解決するための手段】
【０００７】
上記課題を解決するために、請求項１に係る発明は、  上フランジと、下フランジと、これらを上下に連結するウエブとを有する木質梁の端部を、他の構造部材に接合する木質梁の接合構造であって、  前記ウエブの側面に鋼からなる添設板が固定され、  該添設板が前記他の構造部材に接合されており、  前記添設板は、鋼板材に板厚方向に貫通する切り込み線を設けて舌片を形成し、該舌片を鋼板材の面から突出するように折り曲げて形成された爪状部が、規則的に配列して設けられたものであり、  前記ウエブを構成する木質材料に前記爪状部を押し込むことによって前記添設板が前記ウエブに固定されている木質梁の接合構造を提供する。
【０００８】
Ｉ型の断面を有する梁では、せん断力は主にウエブに作用するが、この接合構造では、添設板に設けられた複数の爪状部を介して木質材料のウエブから添設板にせん断力が作用し、他の構造部材によって添設板が支持される。そして、爪状部が添設板の広い範囲に分布して設けられていることによってせん断力が分布してウエブから添設板に伝達され、局部的に大きな力が薄いウエブに作用するのが回避される。
【０００９】
請求項２に係る発明は、請求項１に記載の木質梁の接合構造において、  前記添設板は、上縁及び下縁に沿って水平方向に張り出し部を備え、該添設板が前記ウエブの側面から離れる方向に変位するのを抑制するように前記張り出し部が前記上フランジ及び下フランジによって拘束されているものとする。
【００１０】
添設板に設けられた爪状部は、鋼板を折り曲げて形成されているので、木質材料からなるウエブと添設板との間に大きなせん断力が作用すると、爪状部が変形して爪状部がウエブから抜け出す虞が生じるが、この接合構造では、添設板の上縁及び下縁に設けられた張り出し部が上フランジ及び下フランジに拘束され、添設板がウエブから離れる方向に変位するのが拘束される。また、張り出し部が添設板のリブとして機能し、剛性が高くなるので、複数の爪状部に作用するせん断力の分布が偏っても添設板の曲げ変形が抑制される。
【００１１】
請求項３に係る発明は、請求項１又は請求項２に記載の木質梁の接合構造において、  前記ウエブは、所定幅の板材を前記木質梁の軸線方向に傾斜させ、所定の間隔を開けて複数を配列したものであり、  前記爪状部は、前記鋼板材に形成された舌片の折り曲げ線が前記ウエブを構成する板材の軸線に沿った方向となるように形成されているものとする。
【００１２】
この接合構造では、接合する梁のウエブが複数の傾斜した板材で構成されており、他の部材と接合しようとする端部付近では、ウエブを構成する板材の軸線方向に斜引張力及び斜圧縮力が作用する。そして、これらの斜引張力及び斜圧縮力が爪状部を介して添設板に伝達される。このとき、爪状部の折り曲げ線がウエブを構成する板材の軸線に沿った方向となっていると、爪状部の曲げ剛性が板材の軸線方向に大きく、板材の幅方向に小さくなる。したがって、板材の軸線方向の力が伝達されるときに爪状部の曲げ剛性が大きく、変形し難くなる。これにより、爪状部が変形して添設板がウェブから離れる方向に変位するのが抑制される。
【００１３】
請求項４に係る発明は、請求項１から請求項３までのいずれかに記載の木質梁の接合構造において、  前記添設板は、前記他の構造部材と接合される側の端縁より該木質梁の中央部側に、鉛直方向の折り曲げ線によって折り曲げられて前記ウエブの側方に張り出すように設けられた鉛直リブを有するものとする。
【００１４】
この接合構造では、ウエブの側方に張り出した鉛直リブによって、添設板がウエブに当接して接合されている領域で添設板の曲げ剛性を大きくすることができ、添設板の曲げ変形が抑えられる。また、この添設板をウエブに接合することによって薄い木質材料からなるウエブの端部における曲げ変形を低減することができる。
【発明の効果】
【００１５】
以上説明したように、Ｉ型の断面を有する木質梁の端部を、大きなせん断力が作用するウエブで支持して他の構造部材に接合し、Ｉ型断面の梁のウエブからせん断力を他の構造部材に対して有効に伝達することが可能となる。
【図面の簡単な説明】
【００１６】
【図１】本発明の一実施形態である木質梁の接合構造を示す分解斜視図である。
【図２】図１に示す木質梁の接合構造の概略側面図、平面図及び梁の断面図である。
【図３】図１に示す木質梁の接合構造で用いることができる添設板の側面図及び平面図である。
【図４】図３に示す添設板が有する爪状部の拡大図及び木質梁に該爪状部が押し入れられた状態を示す拡大断面図である。
【図５】爪状部に作用する力を説明するための概略図である。
【図６】爪状部に作用する力と変形を説明するための概略図である。
【図７】図１に示す木質梁の接合構造の平断面図である。
【図８】添設板の他の例を示す側面図である。
【図９】添設板の他の例及びこの添設板をＩ型断面の木質梁に取り付けた状態を示す概略斜視図である。
【図１０】添設板の他の例をＩ型断面の木質梁に取り付けた状態を示す概略斜視図である。
【図１１】添設板の他の例を示す概略斜視図である。
【図１２】本発明の他の実施形態である木質梁の接合構造を示す平断面図である。
【図１３】本発明の他の実施形態である木質梁の接合構造を示す側面図及び平断面図である。
【図１４】本発明の他の実施形態である木質梁の接合構造を示す側面図及び平断面図である。
【図１５】本発明の他の実施形態である木質梁の接合構造を示す概略斜視図である。
【図１６】従来の木質梁の接合構造を示す概略斜視図である。
【発明を実施するための形態】
【００１７】
以下、本発明の実施の形態を図に基づいて説明する。
図１は、本発明の一実施形態である木質梁の接合構造を示す概略斜視図である。また、図２はこの接合構造の側面図、平面図及び梁の断面図である。
この木質梁の接合構造は、木材からなる上下のフランジ１１，１２とこれらを上下に連結する木材のウエブ１３とを備えて断面がほぼＩ型となった梁１と他の構造部材である矩形断面の梁２とを接合するものである。Ｉ型断面の梁１は、その端面を木材からなる矩形断面の梁２の側面に対向させて接合する。これらの梁１，２の接合は、矩形断面の梁２の側面に梁受け金具４が固定されるとともに、Ｉ型断面の梁１の端部には添設板３が固定され、この添設板３を梁受け金具４に接合するものとなっている。
【００１８】
上記Ｉ型断面の梁１が備える上下のフランジ１１，１２には、無垢の木材又は複数枚の木材の薄板を貼り合わせて形成された積層材（ＬＶＬ：Laminated Veneer Lumber）等を用いることができる。上記積層材は、木材を所定の厚さ、例えば２ｍｍ〜４ｍｍに切削した単板の木目の方向をほぼ平行にして積層し、互いに接着したものである。また、上記ウェブ１３は、梁１の軸線方向の鉛直面に沿って配列された複数の小幅板材１４によって形成されており、上記上フランジ１１と上記下フランジ１２とが一体として挙動するように上下に連結するものである。小幅板材１４は木材を所定幅の板状に形成したものであり、所定幅となった面を上記鉛直面と平行にするとともに、側面視においてこの小幅板材１４の軸線が梁１の軸線に対してほぼ４５°となるように傾斜して配置されている。これらの小幅板材１４は、軸線の傾斜方向が互いに逆となった第１群の小幅板材１４ａと第２群の小幅板材１４ｂとを含み、それぞれが梁１の軸線方向に所定の間隔をあけて配列されている。そして、これらが重ね合わされて、貼り合わされたものである。重ね合わされた小幅板材１４ａ，１４ｂは、接着剤よって互いに張り合わされるものの他、釘、ボルト、ピン等を用いて接合するものであっても良い。
【００１９】
上記小幅板材１４は、該小幅板材の軸線方向に木目の方向がほぼ一致するように形成されており、幅は３０ｍｍ〜８０ｍｍ程度、厚さは５ｍｍ〜１５ｍｍ程度とすることが望ましい。そして、梁１の軸線方向に、該小幅板材１４の中心軸線が６０ｍｍ〜２５０ｍｍ程度の間隔で配列されている。
【００２０】
上記小幅板材１４は、予め第１群の小幅板材１４ａと第２群の小幅板材１４ｂとを互いに貼り合わせてパネル状に組み立てた後、上フランジ１１及び下フランジ１２と接合されたものである。接合は、上フランジ１１の下面及び下フランジ１２の上面に軸線方向の溝を形成し、この溝にパネル状となった小幅板材１４の上端部又は下端部を押し入れて接着剤等によって固着したものである。また、小幅板材と上下のフランジとの接合構造の他の例として、上フランジ及び下フランジを構成する木材を、二つに分割されて軸線方向へ平行に配置されたものとし、それぞれをパネル状となった小幅板材群の上端部及び下端部を挟み込むように接合するものであってもよい。
【００２１】
上記梁受け金具４は、鋼の板材で形成されており、図１及び図７に示すように、矩形断面の梁２の側面に当接して固定される基部４ａと、この基部４ａの鉛直方向の側縁からほぼ直角方向に折り曲げられ、梁１の軸線方向に突き出した鉛直板部４ｂとを備えている。基部４ａにはボルト５を挿通する複数の孔が設けられており、これらの孔に挿通されて矩形断面の梁２を貫通するボルト５によって、この梁受け金具４が矩形断面の梁２に固定される。また、鉛直板部４ｂには複数のボルト孔４ｃが設けられており、このボルト孔４ｃに挿通されるボルト６とナット７によって添設板３と接合されるものである。
【００２２】
上記添設板３は、矩形の鋼板材で形成されたものであり、図３に示すように複数の爪状部３１が板面に分布するように配列して形成されている。また、梁受け金具４と接合される端縁付近にはボルト６を挿通するボルト孔３２が設けられている。そして、Ｉ型断面の梁の端部付近でウエブ１３の両側面に取り付けられており、上フランジ１１の下面付近から下フランジ１２の上面付近までの範囲でウエブ１３に当接するものとなっている。
上記爪状部３１は、図４（ａ）に示すように、鋼板材に貫通する切り込み線３３によって舌片を設け、これを鋼板材の面から突き出すように折り曲げたものである。つまり、ほぼ平行な二つの切り込み線３３の端部が互いに近づき、尖った角度でつながって舌状に突き出した部分を形成する。この舌状となった部分をその付け根の折り曲げ線３６で折り曲げ、図３（ｂ）又は図４（ｂ）に示すように鋼板材の面から突出させることによって爪状部３１としたものである。そして、この爪状部３１を、図４（ｂ）に示すように尖った先端から梁の木質材料からなるウエブ１３に押し入れることによって添設板３が複数の爪状部３１によってウエブ１３に固定されるものとなっている。
なお、上記添設板には、厚さが０．５ｍｍ〜１．５ｍｍ程度の鋼板材を用い、爪状部の鋼板材の面から突き出す高さは、６ｍｍ〜８ｍｍ程度とするのが望ましい。
【００２３】
上記爪状部３１は、図２（ａ）及び図３（ａ）に示すように、舌片の軸線３５が梁１の軸線に対してほぼ４５°に傾斜するように設けられ、ウエブ１３に取り付けられたときに舌片の折り曲げ線３６がウエブ１３を形成する小幅板材１４の軸線に沿った方向となるように形成されている。これにより、添設板３とウエブ１３との間に大きなせん断力が作用したときに、添設板３がウエブ１３の側面から離れるように浮き上がり、爪状部３１が抜け出す虞が低減される。これは爪状部３１に対して次に説明するように力が作用することに基づくものである。
【００２４】
図５（ａ）に示すように、舌片の軸線３５が小幅板材の軸線Ａとほぼ直角となるように形成されていると、舌片の折り曲げ線３６は小幅板材の軸線Ａに沿った方向となる。一方、木質の梁１に作用するせん断力は斜引張力及び斜圧縮力としてウエブに作用し、小幅板材１４には主に軸線方向つまり木目に沿った方向に大きな引張力又は圧縮力が作用する。この力が、図５（ｂ）に示すように爪状部３１を介して添設板３に伝達される。これとともに、添設板３には接合する矩形断面の梁２から支持力Ｂが作用する。そして、爪状部３１には図５（ｂ）に示すように添設板３の板面に沿った方向に力Ｆが作用する。このとき、舌片の幅が鋼板材の厚さより大きく形成されていることによって、折り曲げられた爪状部３１に対して、爪状部３１の曲げ剛性が大きい方向つまり断面の寸法が大きい方向に力Ｆが作用する。これにより鋼板材の板面から突き出した爪状部３１の曲げ変形が生じ難くなっている。
これに対し、図６（ａ）に示すように、舌片の軸線３５が小幅板材の軸線Ａに沿った方向に形成されていると、図６（ｂ）に示すように、ウエブ１３を構成する小幅板材１４から爪状部３１に作用する力Ｆは、折り曲げ線３６とほぼ直角となる方向つまり爪状部３１の板厚方向に作用し、爪状部３１に曲げ変形が生じ易くなる。爪状部３１に曲げ変形が生じると図６（ｃ）に示すように爪状部３１が小幅板材１４から抜け出し、添設板３がウエブ３の側面から離れるように浮き上がりやすくなる。
したがって、添設板３の爪状部３１は舌片の折り曲げ線３６が小幅板材１４の軸線に沿った方向となるように形成することによって、爪状部３１がウエブ３から抜け出すのを抑制することが可能となる。
【００２５】
上記添設板３は、図７に示すように、梁受け金具４に接合される端縁付近がＩ型断面の梁１の端面より突き出すように、この梁１のウエブ３の両面に固定される。このとき、梁１のウエブ１３が間隔をおいて配列された小幅板材１４で形成されているので、添設板３は隣り合う小幅板材間でこれらに当接されない部分が生じている。したがって、添設板３が小幅板材１４に当接されない部分では爪状部３１がウエブ１３に押し込まれず、二つの添設板間で露出しているが、添設板３が小幅板材１４に当接される部分では配列された爪状部３１が小幅板材１４に押し入れられ、多くの爪状部３１を介してせん断力が伝達されるものとなる。
【００２６】
添設板３の梁１の端面より軸線方向に張り出した部分は、矩形断面の梁２に固定された梁受け金具４の鉛直板部４ｂに重ね合わされ、鉛直板部４ｂに設けられたボルト孔４ｃ及び添設板のボルト孔３２に挿通したボルト６とこれに螺合したナット７とによって接合される。これによってＩ型断面の梁１に作用するせん断力は添設板３、ボルト６及び梁受け金具４を介して矩形断面の梁２に伝達される。
なお、梁受け金具４の二つの鉛直板部間にはボルト６が挿通される短い鋼円筒部材８を介挿するのが望ましい。これにより、二つの添設板３と二つの鉛直板部４ｂとをボルト６によって締めつけ、添設板３と梁受け金具４とをしっかりと固定することができる。
【００２７】
なお、上記添設板３に設けられた爪状部３１の折り曲げ線３６の方向は、取り付ける梁のウエブが図２（ａ）に示すように傾斜して配列された小幅板材１４で形成されているときには、図３に示すように小幅板材１４の軸線に沿った方向とするのが望ましいが、これに限定されるものではない。例えば図８に示す添設板３７ように、爪状部３８となる舌片の軸線が水平方向となるものや、鉛直方向となるものであってもよい。また、これらを組み合わせたものであってもよいし、爪状部の配列等も適宜に設計することができる。
一方、この添設板３は、上記実施の形態でウエブ３の両面に取り付けられているが、片面のみに取り付けるものであってもよい。
【００２８】
図９は、Ｉ型断面の木質材料からなる梁１を他の構造部材に接合するときに、図３に示す添設板３に代えて用いることができる添設板の他の例を示す概略斜視図及びこの添設板４０をＩ型断面の梁１に取り付けた状態を示す概略斜視図である。
この添設板４０は、図３に示す添設板３と同様に鋼板材で形成され、Ｉ型断面の梁１のウエブ１３に当接される板面に複数の爪状部４１が設けられている。また、他の構造部材に固定された梁受け金具（図示しない）と接合される端縁付近にはボルト孔４２が形成されている。
この添設板４０のウエブ１３に当接される部分の上縁及び下縁には、図９（ａ）に示すように、ウエブに当接される部分と連続してＩ型断面の梁１の側方へほぼ水平に折り曲げられた張り出し部４３を備えている。これらの張り出し部４３は、図９（ｂ）に示すように、Ｉ型断面の梁１に取り付けられたときに、上フランジ１１の下面及び下フランジ１２の上面に当接され、ビス４４によって上フランジ１１及び下フランジ１２に固定されるものとなっている。
【００２９】
このような添設板４０では、張り出し部４３が上フランジ１１及び下フランジ１２に固定されることにより、添設板４０とウエブ１３との間に大きなせん断力が作用したときに、添設板４０がウエブ１３から離れるように変形して爪状部４１がウエブ１３から抜け出すのを拘束することができる。また、張り出し部４３が上フランジ１１及び下フランジ１２に当接されて相互間で上下方向の力の伝達が生じるので、Ｉ型断面の梁１から添設板４０に作用するせん断力の一部が両フランジ１１，１２を介して伝達され、爪状部４１の負荷が軽減される。また、添設板４０がＩ型断面の梁１に対して上下方向に変位するのが拘束され、ウエブ１３の側面に沿って回転するような変位も拘束される。したがって、分布して設けられた爪状部３１のそれぞれに作用する力に大きな差が生じるのを抑えることができる。
【００３０】
図１０に示す添設板５０，５３は、図９に示す添設板４０と同様に、ウエブ１３に当接される部分の上縁と下縁からほぼ水平に張り出した張り出し部５１，５４を有するものであるが、これらの張り出し部５１，５４を上フランジ１１及び下フランジ１２に固定する手段を変更したものである。
図１０（ａ）に示す添設板５０は、下側の張り出し部５１の先端から下方に突き出した突起部５２及び上側の張り出し部（図示しない）の先端から上方に突き出した突起部を有するものである。この添設板５０を用いるときには、上フランジ１１の下面及び下フランジ１２の上面に凹部１２ａを形成しておき、添設板５０をＩ型断面の梁１に取り付けるときに上下の張り出し部５１を弾性変形させて突起部５２を凹部１２ａに嵌め入れる。そして、添設板５０の爪状部をウエブ１３に押し入れ、所定の位置に取り付けられたときには、上下の張り出し部５１がそれぞれ上フランジ１１の下面及び下フランジ１２の上面に当接され、突起部５２が凹部１２ａ内で拘束されて添設板５０がウエブ１３から離れようとする変位に対して抵抗するものとなる。
【００３１】
また、図１０（ｂ）に示す添設板５３は、上下の張り出し部５４に鋼板材を貫通する切り込み線を設け、張り出し部内に一端が該張り出し部と連続する短冊状部分５５が形成されたものである。この短冊状部分５５は張り出し部５４と連続する付け根５５ａで張り出し部５４が当接するフランジ１２から離れる方向に曲げられ、先端付近５５ｂがフランジ１２に向かって折り曲げられている。そして、この短冊状部分５５の先端は尖った形状となっている。
このような添設板５３は、爪状部を木質材料からなる梁１のウエブ１３に押し入れるとともに、上下の張り出し部５４を上フランジ１１の下面及び下フランジ１２の上面に当接した後、短冊状部分５５の先端部５５ｂを上フランジ１１及び下フランジ１２に叩き入れることができる。これにより上下の張り出し部５４が上フランジ１１及び下フランジ１２に固定され、添設板５３の変位が拘束される。
【００３２】
図１１に示す添設板６０，６４は、図３に示す添設板３と同様に、Ｉ型断面の木質材料からなる梁１のウエブ１３と当接される面に爪状部６１，６５が設けられ、この爪状部６１，６５をウエブ１３に押し入れて固定するものであるが、この添設板６０，６４では、鉛直方向の曲げに対して剛性を増大する鉛直リブ６２，６３，６６が設けられている。
図１１（ａ）に示す添設板６０では、他の構造部材と接合する先端付近及び後方端付近にほぼ鉛直方向の折り曲げ線を設け、該添設板６０を構成する鋼板材を側方に折り曲げて鉛直リブ６２，６３としたものである。これにより先端付近及び後方端付近で添設板６０の鉛直方向の曲げ剛性が増大し、Ｉ型断面のウエブに取り付けられたときに部材厚が薄いウエブを、鉛直方向の曲げに対して強化することができる。したがって、大きなせん断力、ねじりモーメント、水平方向の力等によって梁の端部付近で断面の変形が生じるのを抑制することができる。
なお、上記先端付近及び後方端付近の鉛直リブ６２，６３はいずれか一方を設けるものであってもよい。
図１１（ｂ）に示す添設板６４は、先端から後方端まで連続する鋼板材の中間部分に鉛直リブ６６を設けたものである。この鉛直リブ６６は、鋼板材を鉛直方向の折り曲げ線で折り曲げ、平断面の形状がＵ字状、Ｖ字状、鋼板材が重なり合ったＩ字状又は矩形状となるように側方に張り出したものである。そして、鉛直リブ６６の先端側及び後方側の双方に貫通孔６５が設けられ、双方がウエブに固定される。このような鉛直リブ６６を設けることにより、添設板６４の先端から後方端までの間で大きな曲げ剛性を有するものとなる。
【００３３】
図１２は、本発明に係る木質梁の接合構造の他の実施形態を示す概略平面図である。
図１２（ａ）に示す接合構造では、添設板７０がウエブ１３の片面に取り付けられており、この添設板７０の梁１の端面から突き出した部分は、平面視における梁１の中心線側に曲げられ、梁受け金具７１と接合される先端部７０ａは、中心線とほぼ平行となるように加工されている。一方、梁受け金具７１は、他の構造物である矩形断面の梁２の側面に複数のビス７２によって基部７１ａが固定されたものであり、Ｉ型断面の梁１の軸線方向に突き出した一つの鉛直板部７１ｂを備えている。そして添設板７０の先端部７０ａが上記梁受け金具の鉛直板部７１ａに重ね合わされ、ボルト７３とナット７４で締め付けて固定されている。
このような接合構造では、添設板７０をウエブ１３の片面のみに取り付けるものであるが、Ｉ型断面の梁１をその中心線付近で支持することができる。
【００３４】
また、梁１の端面から突き出した部分が中心線側に曲げられている添設板７０は、図１２（ｂ）に示すように、ウエブ１３の両側に取り付けて使用することもできる。このときには両側に取り付けられた添設板７０の梁１の端面より突き出した先端部７０ａを梁受け金具の鉛直板部７１ｂに両側から重ね合わせ、ボルト７３とナット７４によって締め付けて固定することができる。
【００３５】
図１３は、本発明に係る木質梁の接合構造の他の実施形態を示す概略側面図及び平断面図であり、この接合構造では、木質材料からなる梁１の上下のフランジ１１，１２の端面が他の構造部材である矩形断面の梁２の側面に当接して接合されている。
添設板８０は、図１及び図２に示す接合構造で用いられたものと同じものが用いられており、矩形断面の梁に接合される側の先端８０ａがＩ型断面の梁１の先端面より後退した位置となるようにウエブ１３の両面に固定されている。そして、ウエブ１３の先端部は、矩形断面の梁２に固定された梁受け金具８１及びこれを固定するボルト８２と干渉しないように、上下のフランジ１１，１２の端面より後退するように切り欠かれている。梁受け金具８１は、矩形断面の梁２の側面に固定される基部８１ａと基部の両側縁から突き出した鉛直板部８１ｂとを有するものであり、二つの鉛直板部８１ｂの間に添設板８０が取り付けられたウエブ１３を挟み込み、添設板８０及びウエブ１３に設けられた貫通孔に挿通されたボルト８３とナット８４によって締め付け、固定されている。
このような接合構造では、添設板８０の先端付近までをウエブ１３に当接させ、これらが重ね合わされた部分を梁受け金具８１に接合することができる。したがって、水平方向の変位が生じ難い構造となる。
【００３６】
図１４は、本発明に係る木質梁の接合構造の他の実施形態を示す概略側面図及び平断面図であり、この接合構造では、矩形断面の梁２の側面に上下方向の溝状の切り欠き２ａが形成され、Ｉ型断面の梁１は、上下のフランジ１１，１２を上記切り欠き内に突き入れた状態で接合されている。
上下のフランジ１１，１２の先端部における側面は、矩形断面の梁２に設けられた切り欠き２ａの内面に当接するものとなっており、上下のフランジ１１，１２の横方向つまりＩ型断面の梁１の軸線と直角で水平となる方向への変位が矩形断面の梁２によって拘束される。また、上下のフランジ１１，１２の先端面は溝状の切り欠き２ａ内で矩形断面の梁２に突き当てられていてもよいし、間隔を開けて接合されるものであってもよい。添設板８０は図１３に示す接合構造と同じように取り付けられ、梁受け金具８１も同じものを用いて切り欠き２ａ内の底部に同様に固定されている。
このような接合構造では、Ｉ型断面の梁１の上下のフランジ１１，１２が矩形断面の梁２によって横方向へ変位するのが拘束されるので、Ｉ型断面の梁１の端部が矩形断面の梁２に対して水平方向の変位又はねじるように回転方向の変位が生じるのを抑えることができる。
【００３７】
図１５は、本発明の他の実施形態である木質梁の接合構造を示す概略斜視図である。
この接合構造は、添設板９０を用いてＩ型断面の梁１を矩形断面の梁２の側面に突き当てるように接合するものである。
添設板９０は、図３に示す添設板３と同様に、Ｉ型断面の梁１のウエブ１３に当接される部分に複数の爪状部を備えるものであり、この爪状部を木質材料からなるウエブ１３に押し入れて固定されている。この添設板９０の矩形断面の梁２と接合される部分は、鉛直方向の折り曲げ線によってほぼ直角に折り曲げられ、折り曲げられた部分９０ａは、上下のフランジ１１，１２を矩形断面の梁２の側面に突き当てたときに、矩形断面の梁２の側面に当接されるものとなっている。そして、この折り曲げられた部分９０ａに設けられた複数のビス孔から矩形断面の梁２にビスがねじ込まれ、添設板９０が矩形断面の梁２に接合されるものである。なお、添設板９０の折り曲げられた部分９０ａにボルト孔を設け、矩形断面の梁２を横方向に貫通するボルトとナットによって固定するものであってもよい。
【００３８】
なお、本発明は以上に説明した実施の形態に限定されるものではなく、本発明の範囲内において、梁の形状、寸法等、添設板の形状、寸法、爪状部の形状等を適宜に変更して実施することができる。
例えば梁のウエブは、上記実施の形態ではいずれも複数の傾斜した小幅板材が間隔を開けて配列されたものであるが、梁の軸線方向に連続する合板又は無垢の板材を用いてもよい。また、爪状部を押し入れることができるように木質材料が使用されていれば、一部に他の材料を使用するものであってもよい。
Ｉ型断面の梁の端部が接合される他の構造部材は、上記実施の形態ではいずれも木質材料からなる梁であったが、梁に限定されるものではなく柱や壁体等であってもよい。また、他の構造部材は木質材料からなるものに限定されず、鋼部材やコンクリート部材であってもよい。さらに、添設板を他の構造部材に接合する構造も、梁受け金具を用いるものや、ビス又はボルトを用いるものに限定されず、適宜に設計することができる。
【符号の説明】
【００３９】
１：木質材料からなるＩ型断面の梁，  ２：木質材料からなる矩形断面の梁，  ３：添設板，  ４：梁受け金具，  ４ａ：基部，  ４ｂ：鉛直板部，  ４ｃ：ボルト孔，  ５：ボルト，  ６：ボルト，  ７：ナット，  ８：鋼円筒部材，
１１：上フランジ，  １２：下フランジ，  １３：ウエブ，  １４：小幅板材，
３１：爪状部，  ３２：ボルト孔，  ３３：切り込み線，  ３５：舌片の軸線，  ３６：舌片の折り曲げ線，  ３７：添設板，  ３８：爪状部，
４０：添設板，  ４１：爪状部，  ４２：ボルト孔，  ４３：張り出し部，  ４４：ビス，
５０：添設板，  ５１：張り出し部，  ５２：突起部，  ５３：添設板，  ５４：張り出し部，  ５５：短冊状部分，  ５５ａ：短冊状部分の付け根，  ５５ｂ：短冊状部分の先端部，
６０：添設板，  ６１：爪状部，  ６２，６３：鉛直リブ，  ６４：添設板，  ６５：爪状部，  ６６：鉛直リブ，
７０：添設板，  ７１：梁受け金具，  ７１ａ：梁受け金具の基部，  ７１ｂ：梁受け金具の鉛直板部，  ７２：ビス，  ７３：ボルト，  ７４：ナット，
８０：添設板，  ８１：梁受け金具，  ８１ａ：梁受け金具の基部，  ８１ｂ：梁受け金具の鉛直板部，  ８２：ボルト，  ８３：ボルト，  ８４：ナット，
９０：添設板
【図１】
2015168964.tif 000003
【図２】
2015168964.tif 000004
【図３】
2015168964.tif 000005
【図４】
2015168964.tif 000006
【図５】
2015168964.tif 000007
【図６】
2015168964.tif 000008
【図７】
2015168964.tif 000009
【図８】
2015168964.tif 000010
【図９】
2015168964.tif 000011
【図１０】
2015168964.tif 000012
【図１１】
2015168964.tif 000013
【図１２】
2015168964.tif 000014
【図１３】
2015168964.tif 000015
【図１４】
2015168964.tif 000016
【図１５】
2015168964.tif 000017
【図１６】
2015168964.tif 000018